【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるユーザ機器（ＵＥ）通信を管理するためのデータ構造を備えるＯＦＤＭシンボルであって、前記データ構造は、
ダウンリンクサブフレーム中の送信時間間隔を定義するＯＦＤＭシンボル間隔内で、ダウンリンクチャネルの周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされるＵＥのための、前記制御領域内にあるダウンリンクリソース許可と
を備える、ＯＦＤＭシンボル。
【請求項２】
前記ダウンリンクリソース許可は、前記ＵＥに割り振られたダウンリンクリソースの前記データ領域内の位置のインジケーションを備える、
請求項１に記載のＯＦＤＭシンボル。
【請求項３】
前記ダウンリンクリソース許可は、前記少なくとも１つのリソース要素ブロックの前記制御領域外のリソース要素を前記ＵＥに割り振る、
請求項１に記載のＯＦＤＭシンボル。
【請求項４】
前記ダウンリンクリソース許可は、少なくとも１つのさらなるリソース要素ブロックのリソース要素を前記ＵＥに割り振る、
請求項１に記載のＯＦＤＭシンボル。
【請求項５】
前記ＵＥのための、または異なるＵＥのための、前記制御領域中にあるアップリンクリソース許可をさらに備える、
請求項１に記載のＯＦＤＭシンボル。
【請求項６】
前記制御領域は、前記１つまたは複数のリソース要素ブロック内のリソース要素の固定サブセット内に位置する、
請求項１に記載のＯＦＤＭシンボル。
【請求項７】
前記制御領域は、前記１つまたは複数のリソース要素ブロックのリソース要素の数を備え、リソース要素の前記数は、前記ユーザ機器に関連するアグリゲーションレベルに基づく、
請求項１に記載のＯＦＤＭシンボル。
【請求項８】
前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
請求項１に記載のＯＦＤＭシンボル。
【請求項９】
ユーザ機器（ＵＥ）において、ダウンリンクチャネル上でネットワークエンティティによって送信されたデータ構造を受信すること、前記データ構造は、
ダウンリンクサブフレーム中の送信時間間隔（ＴＴＩ）を定義するＯＦＤＭシンボル間隔内で、周波数帯域幅がそれに分割される１つまたは複数のリソース要素ブロックと、
前記１つまたは複数のリソース要素ブロックのうちの少なくとも１つ内の制御領域およびデータ領域と、
前記制御領域内にある、ダウンリンクリソース許可を含む制御情報と
を備える、と、
前記制御情報が前記ＵＥのためのものであるかどうかを決定するために、前記制御領域に対して検査を実行することと、
前記検査に合格した場合、前記制御情報に基づいて、前記データ領域の位置を決定することと、
前記決定された位置において、前記データ領域中の前記ＵＥのためのユーザデータを受信することと
を備える、ワイヤレス通信の方法。
【請求項１０】
前記ユーザデータを復号することを試みることと、
迅速化されたＨＡＲＱ応答時間内に前記ユーザデータを復号することを試みることに基づいて、ＨＡＲＱ応答を送信すること、ここにおいて、前記迅速化されたＨＡＲＱ応答時間は、４つのシンボルである、と
をさらに備える、請求項９に記載の方法。
【請求項１１】
前記ダウンリンクリソース許可は、前記ＵＥに割り振られたダウンリンクリソースの前記データ領域内の位置のインジケーションを備える、および／または前記ダウンリンクリソース許可は、少なくとも１つのさらなるリソース要素ブロックのリソース要素を前記ＵＥに割り振る、および／または前記ダウンリンクリソース許可は、前記少なくとも１つのリソース要素ブロックの前記制御領域外の任意のリソース要素を前記ＵＥに割り振る、
請求項９に記載の方法。
【請求項１２】
前記ＵＥのための、または異なるＵＥのための、前記制御領域中にあるアップリンクリソース許可をさらに備える、
請求項９に記載の方法。
【請求項１３】
前記制御領域は、前記１つまたは複数のリソース要素ブロック内のリソース要素の固定サブセット内に位置する、および／または前記制御領域は、前記１つまたは複数のリソース要素ブロックのリソース要素の数を備え、リソース要素の前記数は、前記ＵＥに関連するアグリゲーションレベルに基づく、
請求項９に記載の方法。
【請求項１４】
ワイヤレス通信のために構成されたユーザ機器（ＵＥ）装置であって、
ダウンリンクチャネル上でネットワークエンティティによって送信されたデータ構造を受信するための手段、前記データ構造は、
ダウンリンクサブフレーム中のＴＴＩを定義するＯＦＤＭシンボル間隔内で、周波数帯域幅がそれに分割される１つまたは複数のリソース要素ブロックと、
前記１つまたは複数のリソース要素ブロックのうちの少なくとも１つ内の制御領域およびデータ領域と、
前記制御領域内にある、ダウンリンクリソース許可を含む制御情報と
を備える、と、
前記制御情報が前記装置のためのものであるかどうかを決定するために、前記制御領域に対して検査を実行するための手段と、
前記検査に合格した場合、前記制御情報に基づいて、前記データ領域の位置を決定するための手段と、
前記決定された位置において、前記データ領域中の前記装置のためのユーザデータを受信するための手段と
備える、ＵＥ装置。
【請求項１５】
請求項９乃至１３のいずれか１項に記載の方法のすべてのステップを実装するようにコンピュータ実行可能なプログラム命令を備えるコンピュータプログラム。
【手続補正２】
【補正対象書類名】明細書
【補正対象項目名】０１１６
【補正方法】変更
【補正の内容】
【０１１６】
[00131]以上の説明は、当業者が本明細書で説明した様々な態様を実施できるようにするために与えられた。これらの態様に対する様々な修正は当業者には容易に明らかになり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ワイヤレス通信システムにおけるユーザ機器（ＵＥ）通信を管理するためのデータ構造であって、
ダウンリンクサブフレーム中の送信時間間隔を定義するシンボル内で、ダウンリンクチャネルの周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされるＵＥのための、前記制御領域内にあるダウンリンクリソース許可と
を備える、データ構造。
［Ｃ２］
前記ダウンリンクリソース許可は、前記ＵＥに割り振られたダウンリンクリソースの前記データ領域内の位置のインジケーションを備える、
［Ｃ１］に記載のデータ構造。
［Ｃ３］
前記ダウンリンクリソース許可は、前記少なくとも１つのリソース要素ブロックの前記制御領域外のリソース要素を前記ＵＥに割り振る、
［Ｃ１］に記載のデータ構造。
［Ｃ４］
前記ダウンリンクリソース許可は、少なくとも１つのさらなるリソース要素ブロックのリソース要素を前記ＵＥに割り振る、
［Ｃ１］に記載のデータ構造。
［Ｃ５］
前記ＵＥのための、または異なるＵＥのための、前記制御領域中にあるアップリンクリソース許可をさらに備える、
［Ｃ１］に記載のデータ構造。
［Ｃ６］
前記制御領域は、前記１つまたは複数のリソース要素ブロック内のリソース要素の固定サブセット内に位置する、
［Ｃ１］に記載のデータ構造。
［Ｃ７］
前記制御領域は、前記１つまたは複数のリソース要素ブロックのリソース要素の数を備え、リソース要素の前記数は、前記ユーザ機器に関連するアグリゲーションレベルに基づく、
［Ｃ１］に記載のデータ構造。
［Ｃ８］
前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
［Ｃ１］に記載のデータ構造。
［Ｃ９］
ユーザ機器（ＵＥ）において、ダウンリンクチャネル上でネットワークエンティティによって送信されたデータ構造を受信すること、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つ内の制御領域およびデータ領域と、
前記制御領域内にある、ダウンリンクリソース許可を含む制御情報と
を備える、と、
前記制御情報が前記ＵＥのためのものであるかどうかを決定するために、前記制御領域に対して検査を実行することと、
前記検査に合格した場合、前記制御情報に基づいて、前記データ領域の位置を決定することと、
前記決定された位置において、前記データ領域中の前記ＵＥのためのユーザデータを受信することと
を備える、ワイヤレス通信の方法。
［Ｃ１０］
前記ユーザデータを復号することを試みることと、
迅速化されたＨＡＲＱ応答時間内に前記ユーザデータを復号することを試みることに基づいて、ＨＡＲＱ応答を送信すること、ここにおいて、前記迅速化されたＨＡＲＱ応答時間は、４つのシンボルである、と
をさらに備える、［Ｃ９］に記載の方法。
［Ｃ１１］
前記ダウンリンクリソース許可は、前記ＵＥに割り振られたダウンリンクリソースの前記データ領域内の位置のインジケーションを備える、
［Ｃ９］に記載の方法。
［Ｃ１２］
前記ダウンリンクリソース許可は、前記少なくとも１つのリソース要素ブロックの前記制御領域外のリソース要素を前記ＵＥに割り振る、
［Ｃ９］に記載の方法。
［Ｃ１３］
前記ダウンリンクリソース許可は、少なくとも１つのさらなるリソース要素ブロックのリソース要素を前記ＵＥに割り振る、
［Ｃ９］に記載の方法。
［Ｃ１４］
前記ＵＥのための、または異なるＵＥのための、前記制御領域中にあるアップリンクリソース許可をさらに備える、
［Ｃ９］に記載の方法。
［Ｃ１５］
前記制御領域は、前記１つまたは複数のリソース要素ブロック内のリソース要素の固定サブセット内に位置する、
［Ｃ９］に記載の方法。
［Ｃ１６］
前記制御領域は、前記１つまたは複数のリソース要素ブロックのリソース要素の数を備え、リソース要素の前記数は、前記ＵＥに関連するアグリゲーションレベルに基づく、
［Ｃ９］に記載の方法。
［Ｃ１７］
前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
［Ｃ９］に記載の方法。
［Ｃ１８］
ワイヤレス通信のために構成された装置であって、
ユーザ機器（ＵＥ）において、ダウンリンクチャネル上でネットワークエンティティによって送信されたデータ構造を受信するように構成された受信構成要素、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つ内の制御領域およびデータ領域と、
前記制御領域内にある、ダウンリンクリソース許可を含む制御情報と
を備える、と、
前記制御情報が前記ＵＥのためのものであるかどうかを決定するために、前記制御領域に対して検査を実行するように構成された制御領域検査構成要素と、
前記検査に合格した場合、前記制御情報に基づいて、前記データ領域の位置を決定するように構成されたデータ領域位置決定構成要素と
を備え、
前記受信構成要素は、前記決定された位置において、前記データ領域中の前記ＵＥのためのユーザデータを受信するようにさらに構成された、
装置。
［Ｃ１９］
前記受信構成要素は、前記ユーザデータを復号することを試みるようにさらに構成され、前記装置は、前記受信構成要素が、迅速化されたＨＡＲＱ応答時間内に前記ユーザデータを復号することを試みることに基づいて、ＨＡＲＱ応答を送信するように構成された送信構成要素をさらに備え、前記迅速化されたＨＡＲＱ応答時間は、４つのシンボルである、
［Ｃ１８］に記載の装置。
［Ｃ２０］
前記ダウンリンクリソース許可は、前記ＵＥに割り振られたダウンリンクリソースの前記データ領域内の位置のインジケーションを備える、
［Ｃ１８］に記載の装置。
［Ｃ２１］
前記ダウンリンクリソース許可は、前記少なくとも１つのリソース要素ブロックの前記制御領域外のリソース要素を前記ＵＥに割り振る、
［Ｃ１８］に記載の装置。
［Ｃ２２］
前記ダウンリンクリソース許可は、少なくとも１つのさらなるリソース要素ブロックのリソース要素を前記ＵＥに割り振る、
［Ｃ１８］に記載の装置。
［Ｃ２３］
前記データ構造は、前記ＵＥのための、または異なるＵＥのための、前記制御領域中にあるアップリンクリソース許可をさらに備える、
［Ｃ１８］に記載の装置。
［Ｃ２４］
前記制御領域は、前記１つまたは複数のリソース要素ブロック内のリソース要素の固定サブセット内に位置する、
［Ｃ１８］に記載の装置。
［Ｃ２５］
前記制御領域は、前記１つまたは複数のリソース要素ブロックのリソース要素の数を備え、リソース要素の前記数は、前記ＵＥに関連するアグリゲーションレベルに基づく、
［Ｃ１８］に記載の装置。
［Ｃ２６］
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割振りを含む、
［Ｃ１８］に記載の装置。
［Ｃ２７］
コンピュータ実行可能コードを記憶する非一時的コンピュータ可読媒体であって、前記コンピュータ実行可能コードは、
ユーザ機器（ＵＥ）において、ダウンリンクチャネル上でネットワークエンティティによって送信されたデータ構造を受信するためのコード、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つ内の制御領域およびデータ領域と、
前記制御領域内にある、ダウンリンクリソース許可を含む制御情報と
を備える、と、
前記制御情報が前記ＵＥのためのものであるかどうかを決定するために、前記制御領域に対して検査を実行するためのコードと、
前記検査に合格した場合、前記制御情報に基づいて、前記データ領域の位置を決定するためのコードと、
前記決定された位置において、前記データ領域中の前記ＵＥのためのユーザデータを受信するためのコードと
を備える、非一時的コンピュータ可読媒体。
［Ｃ２８］
前記ダウンリンクリソース許可は、前記ＵＥに割り振られたダウンリンクリソースの前記データ領域内の位置のインジケーションを備える、
［Ｃ２７］に記載のコンピュータ可読媒体。
［Ｃ２９］
前記ダウンリンクリソース許可は、前記少なくとも１つのリソース要素ブロックの前記制御領域外のリソース要素を前記ＵＥに割り振る、
［Ｃ２７］に記載のコンピュータ可読媒体。
［Ｃ３０］
前記データ構造は、前記ＵＥのための、または異なるＵＥのための、前記制御領域中にあるアップリンクリソース許可をさらに備える、
［Ｃ２７］に記載のコンピュータ可読媒体。